(57)【要約】      （修正有）【課題】摩耗粉がフェルールに付着することを抑制することのできるキャップ及びキャップ付き光コネクタを提供する。【解決手段】キャップ６０は、第１光コネクタ１の第１フェルール１０を収容する第１ハウジング３０に取り付けられ、第２光コネクタを挿入する挿入口３０Ａを塞ぐキャップである。第１ハウジングは、第１フェルールを収容する収容部３２と、第１ハウジングの内部における収容部の開口の周囲に形成された段差面３４と、第２光コネクタを係止するために挿入口に設けられた一対の係止片３１とを備えている。キャップは、一対の係止片の内側から挿入口に挿入される筒状の挿入部６３を有し、挿入部は、段差面に突き当てられる丸みを帯びた端部６３Ａを有する。【選択図】図３
2018156014.tif 000002
【特許請求の範囲】
【請求項１】
第１光コネクタの第１フェルールを収容する第１ハウジングに取り付けられ、第２光コネクタを挿入する挿入口を塞ぐキャップであって、
前記第１ハウジングは、
前記第１フェルールを収容する収容部と、
前記第１ハウジングの内部における前記収容部の開口の周囲に形成された段差面と、
前記第２光コネクタを係止するために前記挿入口に設けられた一対の係止片と
を備えており、
前記キャップは、前記一対の係止片の内側から前記挿入口に挿入される筒状の挿入部を有し、
前記挿入部は、前記段差面に突き当てられる丸みを帯びた端部を有する
ことを特徴とするキャップ。
【請求項２】
請求項１に記載のキャップであって、
前記キャップを前記第１ハウジングに取り付けた状態で保持するために前記第１ハウジングと接触する接触片を更に備え、
前記接触片は、前記キャップを前記第１ハウジングに取り付けた時に、前記第１ハウジングの前記係止片の外側に配置される
ことを特徴とするキャップ。
【請求項３】
請求項２に記載のキャップであって、
前記第１ハウジングの前記係止片の外側では、上壁部と下壁部とが対向して配置されており、
前記第１ハウジングに前記キャップを取り付けた時に、前記接触片は、前記上壁部及び前記下壁部のそれぞれの対向面と接触する
ことを特徴とするキャップ。
【請求項４】
請求項３に記載のキャップであって、
前記接触片の前記対向面と接触する部位が丸みを帯びていることを特徴とするキャップ。
【請求項５】
請求項１〜４のいずれかに記載のキャップであって、
前記キャップのショア硬さは１００以下であることを特徴とするキャップ。
【請求項６】
請求項１〜５のいずれかに記載のキャップであって、
前記一対の係止片の端部には、内側に向かって突出する爪部が形成されており、
前記第１ハウジングに前記キャップを取り付ける時に前記爪部と対向する前記挿入部の側面には、溝部が形成されている
ことを特徴とするキャップ。
【請求項７】
請求項１〜６のいずれかに記載のキャップであって、
前記挿入部の内部にリブが形成されていることを特徴とするキャップ。
【請求項８】
第１フェルールと、前記第１フェルールを収容する第１ハウジングとを有する第１光コネクタと、
前記第１ハウジングに取り付けられ、第２光コネクタを挿入する挿入口を塞ぐキャップと
を備え
前記第１ハウジングは、
前記第１フェルールを収容する収容部と、
前記第１ハウジングの内部における前記収容部の開口の周囲に形成された段差面と、
前記第２光コネクタを係止するために前記挿入口に設けられた一対の係止片と
を備えており、
前記キャップは、前記一対の係止片の内側から前記挿入口に挿入される筒状の挿入部を有し、
前記挿入部は、前記段差面に突き当てられる丸みを帯びた端部を有する
ことを特徴とするキャップ付き光コネクタ。
【発明の詳細な説明】
【技術分野】
【０００１】
本発明は、キャップ及びキャップ付き光コネクタに関する。
【背景技術】
【０００２】
光コネクタのフェルールの接続端面にゴミなどが付着すると、信号損失の原因になる。このため、防塵のために光コネクタにキャップを取り付けることがある。例えば、特許文献１には、光コネクタ本体に着脱自在な保護キャップが記載されている。
【先行技術文献】
【特許文献】
【０００３】
【特許文献１】実開昭５８−１５９５０６号公報
【発明の概要】
【発明が解決しようとする課題】
【０００４】
光コネクタのハウジングにキャップを取り付ける時に、ハウジングとキャップとの接触箇所から摩耗粉が発生するおそれがある。この摩耗粉がフェルールに付着すると、信号損失の原因になってしまう。
【０００５】
本発明は、摩耗粉がフェルールに付着することを抑制することを目的とする。
【課題を解決するための手段】
【０００６】
本発明の幾つかの実施形態は、第１光コネクタの第１フェルールを収容する第１ハウジングに取り付けられ、第２光コネクタを挿入する挿入口を塞ぐキャップであって、前記第１ハウジングは、前記第１フェルールを収容する収容部と、前記第１ハウジングの内部における前記収容部の開口の周囲に形成された段差面と、前記第２光コネクタを係止するために前記挿入口に設けられた一対の係止片とを備えており、前記キャップは、前記一対の係止片の内側から前記挿入口に挿入される筒状の挿入部を有し、前記挿入部は、前記段差面に突き当てられる丸みを帯びた端部を有することを特徴とするキャップである。
【０００７】
本発明の他の特徴については、後述する明細書及び図面の記載により明らかにする。
【発明の効果】
【０００８】
本発明の幾つかの実施形態によれば、摩耗粉がフェルールに付着することを抑制できる。
【図面の簡単な説明】
【０００９】
【図１】図１は、光コネクタシステムの斜視図である。
【図２】図２Ａ及び図２Ｂは、本実施形態のキャップ付き光コネクタの斜視図である。
【図３】図３Ａ及び図３Ｂは、本実施形態のキャップ付き光コネクタの断面斜視図である。
【図４】図４は、キャップ６０を別の角度から見た斜視図である。
【図５】図５Ａ及び図５Ｂは、接触片６４とレセプタクル側ハウジング３０との接触箇所の説明図である。
【発明を実施するための形態】
【００１０】
後述する明細書及び図面の記載から、少なくとも以下の事項が明らかとなる。
【００１１】
第１光コネクタの第１フェルールを収容する第１ハウジングに取り付けられ、第２光コネクタを挿入する挿入口を塞ぐキャップであって、前記第１ハウジングは、前記第１フェルールを収容する収容部と、前記第１ハウジングの内部における前記収容部の開口の周囲に形成された段差面と、前記第２光コネクタを係止するために前記挿入口に設けられた一対の係止片とを備えており、前記キャップは、前記一対の係止片の内側から前記挿入口に挿入される筒状の挿入部を有し、前記挿入部は、前記段差面に突き当てられる丸みを帯びた端部を有することを特徴とするキャップが明らかとなる。このようなキャップによれば、摩耗粉が発生することを抑制でき、第１フェルールに摩耗粉が付着することを抑制できる。
【００１２】
前記キャップを前記第１ハウジングに取り付けた状態で保持するために前記第１ハウジングと接触する接触片を更に備え、前記接触片は、前記キャップを前記第１ハウジングに取り付けた時に、前記第１ハウジングの前記係止片の外側に配置されることが望ましい。これにより、第１フェルールに摩耗粉が付着することを抑制できる。
【００１３】
前記第１ハウジングの前記係止片の外側では、上壁部と下壁部とが対向して配置されており、前記第１ハウジングに前記キャップを取り付けた時に、前記接触片は、前記上壁部及び前記下壁部のそれぞれの対向面と接触することが望ましい。これにより、キャップを強固に取り付けることができる。
【００１４】
前記接触片の前記対向面と接触する部位が丸みを帯びていることが望ましい。これにより、摩耗粉の発生を抑制することができる。
【００１５】
前記キャップのショア硬さは１００以下であることが望ましい。このような場合に特に有効である。
【００１６】
前記一対の係止片の端部には、内側に向かって突出する爪部が形成されており、前記第１ハウジングに前記キャップを取り付ける時に前記爪部と対向する前記挿入部の側面には、溝部が形成されていることが望ましい。これにより、挿入部の側面と爪部との摺動を抑制し、摩耗粉の発生を抑制することができる。
【００１７】
前記挿入部の内部にリブが形成されていることが望ましい。これにより、筒状の挿入部の変形を抑制できる。
【００１８】
第１フェルールと、前記第１フェルールを収容する第１ハウジングとを有する第１光コネクタと、前記第１ハウジングに取り付けられ、第２光コネクタを挿入する挿入口を塞ぐキャップとを備え、前記第１ハウジングは、前記第１フェルールを収容する収容部と、前記第１ハウジングの内部における前記収容部の開口の周囲に形成された段差面と、前記第２光コネクタを係止するために前記挿入口に設けられた一対の係止片とを備えており、前記キャップは、前記一対の係止片の内側から前記挿入口に挿入される筒状の挿入部を有し、前記挿入部は、前記段差面に突き当てられる丸みを帯びた端部を有することを特徴とするキャップ付き光コネクタが明らかとなる。このようなキャップ付き光コネクタによれば、摩耗粉が発生することを抑制でき、第１フェルールに摩耗粉が付着することを抑制できる。
【００１９】
＝＝＝実施形態＝＝＝
＜光コネクタの構成＞
本実施形態のキャップの構成を説明する前に、キャップを取り付けることになる光コネクタの構成について説明する。
【００２０】
図１は、光コネクタシステムの斜視図である。なお、図３Ａの右側には、レセプタクル側光コネクタ１の断面斜視図が示されている。
【００２１】
本実施形態の光コネクタシステムは、プラグ側光コネクタ３と、レセプタクル側光コネクタ１とを有する。プラグ側光コネクタ３は、例えばＪＩＳ Ｃ ５９８２で規定されるＭＰＯ形光コネクタである。
【００２２】
レセプタクル側光コネクタ１は、図３Ａに示すように、フェルール１０と、レセプタクル側ハウジング３０と、ピンクランプ４０と、固定部品５０とを有する。
【００２３】
フェルール１０は、光ファイバの端部を保持する部材である。フェルール１０は、例えばＭＴ形光コネクタ（ＪＩＳ  Ｃ５９８１に制定されるＦ１２形光コネクタ。ＭＴ：Mechanically Transferable）である。フェルール１０の後側には、外周部が外側に突出した鍔部１０Ａ（フランジ部）が形成されている。フェルール１０は、一対のガイド穴１０Ｂと、複数のファイバ穴１０Ｃとを有する。ガイド穴１０Ｂにはガイドピン２０が挿入されている。但し、ガイド穴１０Ｂにガイドピン２０を挿入せずに、フェルール１０を雌型として用いても良い。ファイバ穴１０Ｃは、ガイド穴１０Ｂに対して光ファイバを高精度に位置決めした状態で固定するための穴である。なお、フェルール１０の後側にはブーツ１１が取り付けられている。
【００２４】
レセプタクル側ハウジング３０は、フェルール１０を収容するための収容部材（ハウジング）である。レセプタクル側ハウジング３０の前側には、プラグ側光コネクタ３（例えばＪＩＳ Ｃ ５９８２で規定されるＭＰＯ形光コネクタ）を装着するためのプラグ挿入口３０Ａ（嵌合部）が形成されている。レセプタクル側ハウジング３０の前側には、プラグ側光コネクタ３を係止するための係止片３１（ラッチ機構）が設けられている。係止片３１は、レセプタクル側ハウジング３０の側壁部から前側に突出した片持ち梁状の部位である。レセプタクル側ハウジング３０の前側には、一対の係止片３１が左右方向に対向して配置されており、一対の係止片３１の間の空間がプラグ挿入口３０Ａとなる。係止片３１の端部には爪部３１Ａが形成されている。爪部３１Ａは、内側に向かって突出した部位であり、爪部３１Ａがプラグ側光コネクタ３のハウジングに引っ掛かることによって、プラグ側光コネクタ３が係止されることになる。
【００２５】
レセプタクル側ハウジング３０の前側には、上壁部３０Ｂと下壁部３０Ｃとが上下方向に対向して配置されている。上壁部３０Ｂと下壁部３０Ｃとの間の空間がプラグ挿入口３０Ａとなる。つまり、一対の係止片３１、上壁部３０Ｂ及び下壁部３０Ｃによって囲まれた空間がプラグ挿入口３０Ａとなる。
【００２６】
レセプタクル側ハウジング３０の後側には、フェルール１０を収容するための収容部３２が形成されている。収容部３２の内壁面には内側に突出した突出部３２Ａ（図３Ａ参照）が形成されており、この突出部３２Ａにフェルール１０の鍔部１０Ａが接触することによって、フェルール１０の前抜けが防止されている。
【００２７】
レセプタクル側ハウジング３０の内部において、収容部３２が開口しており、この開口からフェルール１０の端面が露出している。収容部３２の開口の周囲には、段差面３４が形成されている。後述するように、この段差面３４は、キャップ先端（突き当て部６３Ａ）と接触する接触面となる。段差面３４よりも前側には、一対の係止片３１、上壁部３０Ｂ及び下壁部３０Ｃ（プラグ挿入口３０Ａを構成する部位）が形成されている。
【００２８】
収容部３２の側面には、固定部品５０を引き留めるための突起部３３（係止部）が設けられている。レセプタクル側ハウジング３０の突起部３３に固定部品５０のフック部５２２を係合させることによって、レセプタクル側ハウジング３０と固定部品５０との間に、フェルール１０（鍔部１０Ａ）及びピンクランプ４０が挟み込まれて、固定されることになる。
【００２９】
ピンクランプ４０（図３Ａ参照）は、ガイドピン２０を保持する部材である。ピンクランプ４０は、レセプタクル側ハウジング３０（詳しくは収容部３２の内壁面の突出部３２Ａ）との間でフェルール１０の鍔部１０Ａを挟み込むことによって、レセプタクル側ハウジング３０に対してフェルール１０を固定するための部材でもある。
【００３０】
固定部品５０は、レセプタクル側ハウジング３０にフェルール１０を固定するための部材である。本実施形態では、固定部品５０は、ピンクランプ４０を介してフェルール１０をレセプタクル側ハウジング３０に押圧して固定している。
【００３１】
固定部品５０は、後板部５１と、一対の側板部５２とを有する。固定部品５０は、金属板を折り曲げて形成した弾性部材であり、後板部５１の左右両縁から前側に折り曲げることによって側板部５２が形成されている。後板部５１は、固定部品５０をピンクランプ４０に固定するための部位である。また、後板部５１は、ピンクランプ４０を前側に押圧する部位（押圧部）である。後板部５１は、ピンクランプ４０を上から跨ぐように逆Ｕ字形状に形成されている。側板部５２は、固定部品５０をレセプタクル側ハウジング３０に固定するための部位であり、レセプタクル側ハウジング３０の突起部３３に係合するフック部５２２を有する。
【００３２】
＜キャップの構成＞
図２Ａ及び図２Ｂは、本実施形態のキャップ付き光コネクタの斜視図である。図３Ａ及び図３Ｂは、本実施形態のキャップ付き光コネクタの断面斜視図である。図４は、キャップ６０を別の角度から見た斜視図である。
【００３３】
以下の説明では、図に示すように各方向を定義する。すなわち、キャップ着脱方向に関して、レセプタクル側光コネクタ１から見てキャップ６０の側を「手前」とし、逆側を「奥」とする。なお、キャップ着脱方向のことを「前後方向」と呼ぶこともある。また、レセプタクル側光コネクタの一対の係止片３１の並ぶ方向を左右方向とし、手前側から奥側を見たときの右側を「右」とし、逆側を「左」とする。また、前後方向及び左右方向に垂直な方向を「上下方向」とする。
【００３４】
キャップ６０は、レセプタクル側ハウジング３０に取り付けられる部材であり、プラグ挿入口３０Ａ（プラグ側光コネクタ３を挿入する挿入口）を塞ぐための部材である。キャップ６０がプラグ挿入口３０Ａを塞ぐことによって、フェルール１０にゴミ等が付着することを抑制できる。つまり、キャップ６０は、防塵のためにレセプタクル側ハウジング３０に取り付けられる。キャップ６０は、蓋部６１と、把持部６２とを有する。蓋部６１は、プラグ挿入口３０Ａを手前側から塞ぐための部位である。把持部６２は、作業者がキャップ６０を把持するための部位である。
【００３５】
本実施形態では、キャップ６０は、ショア硬さ１００以下の樹脂で成形されている。ショア硬さ１００以下の樹脂は、比較的柔らかい樹脂である。このため、後述するように、他の部材と接触すると、摩耗粉が生じることがある。
【００３６】
本実施形態のキャップ６０は、挿入部６３を有する。挿入部６３は、レセプタクル側ハウジング３０の一対の係止片３１の内側からプラグ挿入口３０Ａに挿入される部位である。挿入部６３がプラグ挿入口３０Ａに挿入されることにより、プラグ挿入口３０Ａにゴミなどが入り込みにくくなる。挿入部６３は、蓋部６１から奥側に向かって突出して形成されている。これにより、キャップ６０がレセプタクル側ハウジング３０に取り付けられて、蓋部６１がプラグ挿入口３０Ａを塞いだときに、挿入部６３がプラグ挿入口３０Ａに挿入された状態になる。
【００３７】
挿入部６３は、筒状に形成されている。これにより、キャップ６０がガイドピン２０に接触することを防止できる。また、後述するように挿入部６３（詳しくは突き当て部６３Ａ）を段差面３４に接触させたときに、キャップ６０がフェルール１０の端面に接触することを防止できる。
【００３８】
挿入部６３の端部（奥側の端部）には、突き当て部６３Ａが形成されている。突き当て部６３Ａは、レセプタクル側ハウジング３０の内部に形成されている段差面３４（図３Ａ参照）に突き当てるための部位である。突き当て部６３Ａが段差面３４に突き当てられると、フェルール１０の端面が段差面３４及び挿入部６３によって密閉される。これにより、フェルール１０の端面にゴミ等が付着することを抑制でき、防塵効果を高めることができる。このように、突き当て部６３Ａは、防塵シールとしての機能を有する。
【００３９】
本実施形態では、突き当て部６３Ａが丸みを帯びている（図３Ｂの一部拡大図参照）。つまり、挿入部６３の端部（段差面に突き当てられる部位）が丸みを帯びている。言い換えると、突き当て部６３Ａは、丸みを帯びた突条によって構成されている。これにより、突き当て部６３Ａが段差面３４と接触したときに、摩耗粉の発生を抑制することができる。
【００４０】
また、本実施形態では、挿入部６３の左右の両側面に溝部６３Ｂが形成されている。溝部６３Ｂは、挿入部６３の側面にキャップ装着方向に沿って凹状（溝状）に形成された部位である。挿入部６３の側面は、レセプタクル側ハウジング３０にキャップ６０を取り付ける時にレセプタクル側ハウジング３０の係止片３１の爪部３１Ａと対向する部位であるため、溝部６３Ｂを形成することによって、挿入部６３の側面と爪部３１Ａとの摺動を抑制し、摩耗粉の発生を抑制することができる。このため、溝部６３Ｂの上下方向の幅は、爪部３１Ａの上下方向の幅よりも大きい。
【００４１】
また、本実施形態では、筒状の挿入部６３の内部にリブ６３Ｃが形成されている。これにより、筒状の挿入部６３の変形を抑制できるため、突き当て部６３Ａが予期せずにフェルール１０と接触してしまうことを抑制できる。なお、リブ６３Ｃは、断面長方形状の挿入部６３の断面において長辺をなす上面と下面とを連結するように、挿入部６３の内部に形成されている。これは、挿入部６３の上面と下面が特に変形しやすいためである。但し、リブ６３Ｃを別の位置に形成しても良い。
【００４２】
本実施形態のキャップ６０は、接触片６４を有する。接触片６４は、レセプタクル側ハウジング３０と接触することによって、キャップ６０をレセプタクル側ハウジング３０に取り付けた状態で保持するための部位である。また、本実施形態では、接触片６４がレセプタクル側ハウジング３０と接触することによって、キャップ６０の突き当て部６３Ａをレセプタクル側ハウジング３０の段差面３４に突き当てた状態を保持することができる。接触片６４は、蓋部６１から奥側に向かって突出して形成されている。
【００４３】
接触片６４は、挿入部６３の左右方向外側に隙間をあけて配置されている（図４参照）。つまり、一対の接触片６４の間には、隙間をあけて挿入部６３が配置されている。レセプタクル側ハウジング３０にキャップ６０を取り付けた時に、接触片６４と挿入部６３との間の隙間にレセプタクル側ハウジング３０の係止片３１が配置される（図３Ｂ参照）。つまり、レセプタクル側ハウジング３０にキャップ６０を取り付けた時に、接触片６４は、レセプタクル側ハウジング３０の係止片３１の外側に配置される。これにより、仮に接触片６４がレセプタクル側ハウジング３０に接触することによって摩耗粉が発生しても、係止片３１の外側で摩耗粉が発生するため、摩耗粉がフェルール１０に付着することを抑制できる。すなわち、接触片６４がレセプタクル側ハウジング３０の係止片３１の外側に配置されることによって、キャップ６０の挿入部６３とレセプタクル側ハウジング３０の係止片３１とをラビリンスシールとして機能させることができる。
【００４４】
図５Ａ及び図５Ｂは、接触片６４とレセプタクル側ハウジング３０との接触箇所の説明図である。レセプタクル側ハウジング３０の上壁部３０Ｂと下壁部３０Ｃは、図２Ａに示すように係止片３１の内側だけでなく外側にも形成されており、図５Ａに示すように、レセプタクル側ハウジング３０の上壁部３０Ｂと下壁部３０Ｃは、上下方向に対向して配置されている。そして、図５Ｂに示すように、レセプタクル側ハウジング３０にキャップ６０を取り付けた時に、接触片６４は、上壁部３０Ｂ及び下壁部３０Ｃのそれぞれの対向面と接触することになる。これにより、レセプタクル側ハウジング３０の側面が接触片６４によって塞がれ、外部からのゴミの侵入を抑制できる。
【００４５】
なお、接触片６４をレセプタクル側ハウジング３０の上壁部３０Ｂ及び下壁部３０Ｃのそれぞれの対向面に接触させるため、接触片６４の上下方向の寸法は、上壁部３０Ｂ及び下壁部３０Ｃの対向面同士の間隔よりも若干大きく構成されている。このため、キャップ６０をレセプタクル側ハウジング３０に取り付ける時、作業者は、キャップ６０を圧入させるように装着させることになる。このため、キャップ６０は、レセプタクル側ハウジング３０に強固に固定されることになる。また、接触片６４とレセプタクル側ハウジング３０の上壁部３０Ｂ及び下壁部３０Ｃとが締まり嵌めのように密着するため、外部からのゴミの侵入を抑制できる。一方、接触片６４とレセプタクル側ハウジング３０上壁部３０Ｂ及び下壁部３０Ｃとの接触が強くなると摩耗粉が発生しやすくなるが、係止片３１の外側で摩耗粉が発生するため、摩耗粉がフェルール１０に付着することを抑制できる。このため、本実施形態によれば、キャップ６０の強固な固定と、フェルール１０の防塵という相反する機能を両立させることができる。
【００４６】
ところで、接触片６４をレセプタクル側ハウジング３０の上壁部３０Ｂ及び下壁部３０Ｃに接触させる代わりに、レセプタクル側ハウジング３０の係止片３１に接触させることによって、キャップ６０をレセプタクル側ハウジング３０に取り付けた状態で保持させることも可能である。但し、プラグ側光コネクタ３を係止するための係止片３１は、弾性変形し易い形状（片持ち梁状）であるため、キャップ６０の接触片６４を係止片３１に接触させ続けると、係止片３１が変形し、係止片３１のラッチ機能を損なわせてしまうおそれがある。このような理由から、本実施形態では、接触片６４をレセプタクル側ハウジング３０の上壁部３０Ｂ及び下壁部３０Ｃに接触させることによって、キャップ６０をレセプタクル側ハウジング３０に取り付けた状態で保持させている。
【００４７】
また、キャップ６０に接触片６４を設けずに、キャップ６０の挿入部６３とレセプタクル側ハウジング３０の係止片３１とを接触させることによって、キャップ６０をレセプタクル側ハウジング３０に取り付けた状態で保持させることも可能である。但し、この場合、プラグ挿入口３０Ａの内側で摩耗粉が発生するおそれがあり、摩耗粉がフェルール１０に付着しやすくなってしまう。このような理由から、本実施形態では、挿入部６３の左右方向外側に接触片６４を設け、レセプタクル側ハウジング３０にキャップ６０を取り付けた時に、接触片６４がレセプタクル側ハウジング３０の係止片３１の外側に配置されるようにキャップ６０を構成している。
【００４８】
本実施形態では、図４に示すように、接触片６４の上下の縁には、接触部６４Ａが形成されている。接触部６４Ａは、前後方向に沿って形成された突条であり、レセプタクル側ハウジング３０（詳しくは上壁部３０Ｂ又は下壁部３０Ｃ）と接触する部位である。本実施形態では、接触部６４Ａは、丸みを帯びた突条によって構成されている。これにより、接触部６４Ａがレセプタクル側ハウジング３０（詳しくは上壁部３０Ｂ又は下壁部３０Ｃ）と接触したときに、摩耗粉の発生を抑制することができる。
【００４９】
本実施形態では、キャップ６０は、レセプタクル側光コネクタ１（第１光コネクタ）のフェルール１０（第１フェルール）を収容するレセプタクル側ハウジング３０（第１ハウジング）に取り付けられ、プラグ側光コネクタ３（第２光コネクタ）を挿入するプラグ挿入口３０Ａ（挿入口）を塞ぐことに用いられていた。但し、キャップ６０がレセプタクル側ハウジング３０とは別の部材に取り付けられても良い。例えば、両端にプラグ挿入口を備えたアダプタハウジングにキャップ６０が取り付けられても良い。
【００５０】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００５１】
１  レセプタクル側光コネクタ、３  プラグ側光コネクタ、
１０  フェルール、１０Ａ  鍔部、
１０Ｂ  ガイド穴、１０Ｃ  ファイバ穴、
１１  ブーツ、２０  ガイドピン、
３０  レセプタクル側ハウジング、３０Ａ  プラグ挿入口、
３０Ｂ  上壁部、３０Ｃ  下壁部、
３１  係止片、３１Ａ  爪部、
３２  収容部、３２Ａ  突出部、
３３  突起部、３４  段差面、
４０  ピンクランプ、５０  固定部品、
５１  後板部、５２  側板部、５２２  フック部、
６０  キャップ、６１  蓋部、６２  把持部、
６３  挿入部、６３Ａ  突き当て部、
６３Ｂ  溝部、６３Ｃ  リブ、
６４  接触片、６４Ａ  接触部
【図１】
2018156014.tif 000003
【図２】
2018156014.tif 000004
【図３】
2018156014.tif 000005
【図４】
2018156014.tif 000006
【図５】
2018156014.tif 000007